(57)【特許請求の範囲】
【請求項１】
空気通路を形成する空調ケース（３１）内に配置され、空気を加熱する暖房用熱交換器（３３）を具備し、
この暖房用熱交換器（３３）は、熱源流体が流通するチューブ（３３６）およびこのチューブ（３３６）に組み付けられるフィン部材（３３７）を有する熱交換用コア部（３３３）と、この熱交換用コア部（３３３）の両側に配置され、前記チューブ（３３６）の両端が連通するタンク（３３１、３３２）と、前記熱交換用コア部（３３３）の一部の部位に組み付けられた電気発熱体（５１）とを備えており、
前記タンク（３３１、３３２）が前記熱交換用コア部（３３３）の上下両側に位置するようにして、前記暖房用熱交換器（３３）が前記空調ケース（３１）内に配置されており、
前記上下両側のタンク（３３１、３３２）のうち下側のタンク（３３１）にリード線（５５、５７）を内蔵した電気配線用カバー（５３）が装着され、
前記リード線（５５、５７）は、前記電気配線用カバー（５３）の内部において前記下側のタンク（３３１）の空気流れ下流側部位に配置され、
前記電気発熱体（５１）と前記リード線（５５、５７）とを電気接続する電気接続部（５８〜６０）が、前記電気配線用カバー（５３）のうち前記下側のタンク（３３１）の空気流れ下流側部位に配置されていることを特徴とする車両用空調装置。
【請求項２】
前記電気接続部（５８〜６０）は、前記電気発熱体（５１）の電極板（５１ｂ、５１ｃ）に一体成形された端子部（５１ｅ、５１ｆ）と、前記リード線（５５、５７）の接続端子片（５５ａ、５７ａ）とを電気接続するものであることを特徴とする請求項１に記載の車両用空調装置。
【請求項３】
前記空調ケース（３１）内を、下方側に位置して内気が流れる第１空気通路（２０ａ）と、上方側に位置して外気が流れる第２空気通路（２１ａ）とに仕切るようになっており、前記電気発熱体（５１）は、前記第１空気通路（２０ａ）と前記第２空気通路（２１ａ）の両方にわたって配置されていることを特徴とする請求項１または２に記載の車両用空調装置。
【請求項４】
前記暖房用熱交換器（３３）は空気流れ下流側に所定角度だけ傾斜配置されており、
前記電気接続部（５８〜６０）の下端面を前記下側のタンク（３３１）の下端面より所定量上方に配置し、
前記空調ケース（３１）の底面には、前記電気接続部（５８〜６０）の下端面と前記下側のタンク（３３１）の下端面との間の段差に対応する段差が形成されていることを特徴とする請求項１ないし３のいずれか１つに記載の車両用空調装置。
【請求項５】
空気通路を形成する空調ケース（３１）内に配置され、空気を加熱する暖房用熱交換器（３３）を具備し、
この暖房用熱交換器（３３）は、熱源流体が流通するチューブ（３３６）およびこのチューブ（３３６）に組み付けられるフィン部材（３３７）を有する熱交換用コア部（３３３）と、前記チューブ（３３６）が連通するタンク（３３１）と、前記熱交換用コア部（３３３）の一部の部位に組み付けられた電気発熱体（５１）とを備えており、
前記タンク（３３１）が前記熱交換用コア部（３３３）の下側に位置するようにして、前記暖房用熱交換器（３３）が前記空調ケース（３１）内に配置されており、
前記タンク（３３１）にリード線（５５、５７）を内蔵した電気配線用カバー（５３）が装着され、
前記リード線（５５、５７）は、前記電気配線用カバー（５３）の内部において前記タンク（３３１）の空気流れ下流側部位に配置され、
前記電気発熱体（５１）と前記リード線（５５、５７）とを電気接続する電気接続部（５８〜６０）が、前記電気配線用カバー（５３）のうち前記タンク（３３１）の空気流れ下流側部位に配置されていることを特徴とする車両用空調装置。
【発明の詳細な説明】
【０００１】
【発明の属する技術分野】
本発明は電気発熱体を一体化した暖房用熱交換器を備える車両用空調装置に関するものでである。
【０００２】
【従来の技術】
従来、この種の電気発熱体を一体化した暖房用熱交換器は、特開平５−６９７３２号公報において提案されている。この従来装置によれば、温水（エンジン冷却水）を熱源として空気を加熱する暖房用熱交換器に電気発熱体を一体化することにより、エンジン始動直後のように温水温度が低いときには、電気発熱体への通電により、電気発熱体の発生熱を空気中に放熱して空気を加熱することができ、これにより、車両用空調装置の暖房機能を即効的に発揮できる。
【０００３】
【発明が解決しようとする課題】
ところで、上記公報記載の従来装置では、電気発熱体と外部回路との間の具体的な電気接続構造は何ら開示していない。
しかし、車両用空調用装置においては、暖房用熱交換器の空気流れの上流側に冷房用熱交換器が配置されているので、冷房用熱交換器で発生した凝縮水が空気流れにより暖房用熱交換器に吹き付けられて、この凝縮水の付着により電気発熱体の電気接続部に短絡等の不具合が生じる場合がある。
【０００４】
また、電気発熱体の電気接続部が熱交換用コア部への突出により通風抵抗を増大させるといった不具合が生じる場合もある。
本発明は上記点に鑑みて、電気発熱体を一体化した暖房用熱交換器を備える車両用空調装置において、電気発熱体の電気接続部への凝縮水の付着による短絡等の不具合を抑制することを目的とする。
【０００５】
【課題を解決するための手段】
上記目的を達成するため、請求項１記載の発明では、タンク（３３１、３３２）が熱交換用コア部（３３３）の上下両側に位置するようにして、暖房用熱交換器（３３）を空調ケース（３１）内に配置し、
この上下両側のタンク（３３１、３３２）のうち下側のタンク（３３１）にリード線（５５、５７）を内蔵した電気配線用カバー（５３）を装着し、
このリード線（５５、５７）は、電気配線用カバー（５３）の内部において下側のタンク（３３１）の空気流れ下流側部位に配置し、
電気発熱体（５１）とリード線（５５、５７）とを電気接続する電気接続部（５８〜６０）を、電気配線用カバー（５３）のうち下側のタンク（３３１）の空気流れ下流側部位に配置したことを特徴としている。
【０００６】
これによると、電気発熱体（５１）の電気接続部（５８〜６０）への被水を下側タンク（３３１）自身を利用して抑制できるので、冷房用熱交換器からの凝縮水付着、あるいは外気からの水、雪入り等に起因する電気接続部（５８〜６０）での電気的短絡事故等を良好に防止できる。
しかも、車両用空調用装置においては、通常、暖房用熱交換器（３３）よりも空気流れ下流の上方位置側に吹き出しモード切替部が配置され、暖房用熱交換器（３３）の上方位置側に空気流れの主流通路が形成されるので、熱交換用コア部（３３３）の上方位置側に突出部があると、通風抵抗の増大が顕著に現れるが、これに対して、暖房用熱交換器（３３）の下方位置側は空気流れの主流通路から離れるので、下側タンク（３３１）の空気流れ下流側部位に電気発熱体（５１）の電気接続部（５８〜６０）を配置することにより、電気接続部（５８〜６０）の配置による通風抵抗の増大を良好に回避できる。
【０００７】
上記電気接続部（５８〜６０）は、具体的には請求項２に記載のごとく電気発熱体（５１）の電極板（５１ｂ、５１ｃ）に一体成形された端子部（５１ｅ、５１ｆ）と、リード線（５５、５７）の接続端子片（５５ａ、５７ａ）とを電気接続するものである。
また、請求項３記載の発明では、空調ケース（３１）内を、下方側に位置して内気が流れる第１空気通路（２０ａ）と、上方側に位置して外気が流れる第２空気通路（２１ａ）とに仕切り、電気発熱体（５１）を、第１空気通路（２０ａ）と第２空気通路（２１ａ）の両方にわたって配置することを特徴としている。
【０００８】
これによると、第１空気通路（２０ａ）を内気が流れ、第２空気通路（２１ａ）を外気が流れる内外気２層流モードにおいて、第１空気通路（２０ａ）の内気と第２空気通路（２１ａ）の外気を両方とも電気発熱体（５１）で加熱することができる。従って、空調装置からの上下吹き出し温度差を電気発熱体（５１）の通電時にも適正範囲に維持することができる。
【０００９】
また、請求項４記載の発明では、暖房用熱交換器（３３）を空気流れ下流側に所定角度だけ傾斜配置する場合に、電気接続部（５８〜６０）の下端面を下側のタンク（３３１）の下端面より所定量上方に配置し、
空調ケース（３１）の底面には、電気接続部（５８〜６０）の下端面と下側のタンク（３３１）の下端面との間の段差に対応する段差を形成したことを特徴としている。
これによると、暖房用熱交換器（３３）の傾斜配置に伴って電気接続部（５８〜６０）の下端面が下側のタンク（３３１）より下方に突き出すことを防止できる。このため、空調装置の下側への搭載機器と電気接続部（５８〜６０）の下側への突き出し形状との干渉を回避して、空調装置の車両搭載性を向上できる。
【００１０】
また、請求項５記載の発明では、暖房用熱交換器（３３）の熱交換用コア部（３３３）のチューブ（３３６）と連通するタンク（３３１）が熱交換用コア部（３３３）の下側に位置するようにして、暖房用熱交換器（３３）を空調ケース（３１）内に配置し、
下側のタンク（３３１）にリード線（５５、５７）を内蔵した電気配線用カバー（５３）を装着し、
このリード線（５５、５７）は、電気配線用カバー（５３）の内部において下側のタンク（３３１）の空気流れ下流側部位に配置し、
電気発熱体（５１）とリード線（５５、５７）とを電気接続する電気接続部（５８〜６０）を、電気配線用カバー（５３）のうち下側のタンク（３３１）の空気流れ下流側部位に配置したことを特徴としている。
【００１１】
このような請求項５記載の発明によっても、請求項１と同様の作用効果を発揮できる。
なお、上記各手段の括弧内の符号は、後述する実施形態記載の具体的手段との対応関係を示すものである。
【００１２】
【発明の実施の形態】
（第１実施形態）
図１〜図５は第１実施形態を示し、図１は本発明を適用する車両用空調装置の通風系の全体構成を示す概略断面図で、本実施形態は、ディーゼルエンジンを搭載する車両、電気自動車、ハイブリッド車等のように、暖房用として十分な熱源の確保が困難な車両における空調装置に好適なものであり、最大暖房時には内外気２層流モードを設定できるようになっている。
【００１３】
図１において、空調装置通風系は、大別して、送風機ユニット１０と空調ユニット３０の２つの部分に分かれている。送風機ユニット１０部は通常、車室内の計器盤下方部のうち、中央部から助手席側へオフセットして配置され、また、空調ユニット３０部は、車室内の計器盤下方部のうち、車両左右方向の略中央部に配置される。
【００１４】
空調ユニット３０部は車両の上下、前後方向に対して図示の矢印のように搭載される。図１では送風機ユニット１０部の図示のために、便宜上、送風機ユニット１０部を空調ユニット３０部の車両前方側に配置しているが、実際は空調ユニット３０部の側方に送風機ユニット１０部が配置される。
次に、送風機ユニット１０部を具体的に説明すると、送風機ユニット１０には内気（車室内空気）を導入する第１、第２内気導入口１１、１２と、外気（車室外空気）を導入する外気導入口１３が備えられている。これらの導入口１１〜１３はそれぞれ第１、第２の内外気切替ドア１４、１５によって開閉可能になっている。
【００１５】
そして、上記導入口１１〜１３からの導入空気を送風する第１（内気側）ファン１６および第２（外気側）ファン１７が、送風機ユニット１内に上下に重ねて配置されている。この両ファン１６、１７は周知の遠心多翼ファンであって、１つの共通の電動モータ１８にて同時に回転駆動される。
図１は後述する２層流モードの状態を示しており、第１内外気切替ドア１４は第１内気導入口１１を閉塞して、外気導入口１３を開放しており、第２内外気切替ドア１５は第２内気導入口１２を開放して連通路１９を閉塞している。このため、第１（内気側）ファン１６の吸入口１６ａに第２内気導入口１２から内気が吸入され、第１（内気側）通路２０に送風される。
【００１６】
一方、第２（外気側）ファン１７の吸入口１７ａには外気導入口１３から外気が吸入され、第２（外気側）通路２１に送風されるようになってる。
次に、空調ユニット３０部は空調ケース３１内に蒸発器（冷房用熱交換器）３２とヒータコア（暖房用熱交換器）３３とを両方とも一体的に内蔵するタイプのものである。
【００１７】
空調ケース３１内において、蒸発器３２の上流側部位は仕切り板３４により第１、第２空気通路２０ａ、２１ａに仕切られている。この第１、第２空気通路２０ａ、２１ａには、送風機ユニット１０の第１、第２空気通路２０、２１から送風される空気が流入する。蒸発器３２は周知のごとく冷凍サイクルの冷媒の蒸発潜熱を空調空気から吸熱して、送風空気を冷却する。
【００１８】
そして、蒸発器３２の空気流れ下流側（車両後方側）に、所定の間隔を開けてヒータコア３３が隣接配置されている。ここで、ヒータコア３３は車両後方側に所定角度で傾斜配置されている。このヒータコア３３は、蒸発器３２を通過した冷風を再加熱するものであって、その内部に熱源流体である高温の温水（エンジン冷却水）が流れ、この温水を熱源として空気を加熱するものである。
【００１９】
また、空調ケース３１内で、ヒータコア３３の上方部位には、このヒータコア３３をバイパスして空気（冷風）が流れる冷風バイパス通路３５が形成されている。
空調ケース３１内で、ヒータコア３３と蒸発器３２との間には、ヒータコア３３で加熱される温風とヒータコア３３をバイパスする冷風（すなわち、冷風バイパス通路３５を流れる冷風）との風量割合を調整する平板状の主エアミックスドア３６、および補助エアミックスドア３７が配置されている。ここで、この両エアミックスドア３６、３７は、それぞれ車両上下方向に回動可能になっている。
【００２０】
主エアミックスドア３６と補助エアミックスドア３７は所定間隔をあけて上下方向に配置され、互いに干渉しないようにして任意の回動位置に操作可能になっている。また、最大冷房時には、両エアミックスドア３６、３７は互いにラップした位置に回動操作されて、ヒータコア３３への空気流入路を全閉する。
一方、最大暖房時には、両エアミックスドア３６、３７は図１の実線位置に回動操作されて、主エアミックスドア３６が冷風バイパス通路３５を全閉すると同時に、補助エアミックスドア３７の先端部が蒸発器３２直後の上下方向中央位置近傍に位置することにより、補助エアミックスドア３７は、蒸発器３２とヒータコア３３との間の空気通路を第１空気通路２０ａと第２空気通路２１ａとに区画する可動仕切り部材として作用する。
【００２１】
そして、空調ケース３１内において、ヒータコア３３の空気下流側（車両後方側の部位）には、ヒータコア３３との間に所定間隔を開けて上下方向に延びる仕切り壁３８が空調ケース３１に一体成形されており、この仕切り壁３８によりヒータコア３３の直後から上方に向かう温風通路３９が形成されている。この温風通路３９からの温風と冷風バイパス通路３５からの冷風がヒータコア３３の上方部において混合する。
【００２２】
また、仕切り壁３８の下端部には温風バイパス開口４０が開口しており、この温風バイパス開口４０は板状の温風バイパスドア４１により開閉される。この温風バイパスドア４１は、後述のフット吹出モードおよびフットデフロスタ吹出モードにおいて、最大暖房状態が設定されたとき（２層流モード）には、図１の実線位置（ヒータコア３３の上下方向の略中央位置）に操作されてヒータコア３３直後の温風通路３９を第１空気通路２０ａと第２空気通路２１ａとに区画する可動仕切り部材として作用する。
【００２３】
空調ケース３１の上面部において、車両前方側の部位には車両窓ガラス内面に向けて風を吹き出すためのデフロスタ開口部４２が開口している。また、空調ケース３１の上面部において、デフロスタ開口部４２よりも車両後方側（乗員寄り）の部位には乗員頭部に向けて風を吹き出すフェイス開口部４３が開口している。また、空調ケース３１のうち、車両後方側の左右両側の側面には、前席用フット開口部４４が開口している。
【００２４】
この前席用フット開口部４４にはヒータコア３３の上方側から冷温風の混合により温度制御された空調空気が入口開口４５を通って流入するとともに、最大暖房時には、温風バイパス開口４０からの温風が温風通路４６を通して流入するようになっている。そして、上記デフロスタ開口部４２、フェイス開口部４３、および前席用フット開口部４４の入口開口４５は、それぞれ、回動可能な板状のモード切替ドア４７、４８、４９により開閉される。
【００２５】
また、空調ケース３１のうち、車両後方側（乗員寄り）の下端部には、後席用フット開口部５０が温風バイパス開口４０の直後に対向するように開口している。この後席用フット開口部５０は、温風バイパス開口４０および温風通路４６からの温風が流入し、この温風を図示しない後席用フットダクトを介して後席側の乗員足元に温風を吹き出す。
【００２６】
次に、図２〜図５は本実施形態におけるヒータコア３３の具体的構造を例示するもので、図２、３に示すように、ヒータコア３３は、温水入口側タンク３３１と、温水出口側タンク３３２と、この両タンク３３１、３３２の間に設けられた熱交換用コア部３３３とを有している。
温水入口側タンク３３１には車両エンジンからの温水が流入する入口パイプ３３４が設けられ、温水出口側タンク３３２には温水を外部へ流出させ、エンジン側に還流させる出口パイプ３３５が設けられている。
【００２７】
熱交換用コア部３３３は暖房用空気の流れ方向（図２の矢印Ａ方向）に対して平行な偏平状に形成された偏平チューブ３３６を図３の左右方向に多数個並列配置している。そして、この多数個の偏平チューブ３３６相互の間に波形状に成形されたコルゲートフィン（フィン部材）３３７を配置し接合している。
偏平チューブ３３６の両端開口部は両タンク３３１、３３２のチューブ挿入穴内にそれぞれ挿通され、接合される。また、コア部３３３の最外側（図３の左右両端部）のコルゲートフィン３３７のさらに外側にはサイドプレート３３８、３３９が配設され、この両サイドプレート３３８、３３９は最外側のコルゲートフィン３３７およびタンク３３１、３３２に接合される。
【００２８】
本例のヒータコア３３は図１に示すように温水入口側タンク３３１を下側にして温水出口側タンク３３２を上側にして空調ケース３１内に配置されているので、入口側タンク３３１の温水は全部の偏平チューブ３３６を下方から上方への一方向に流れて出口側タンク３３２で集合され、出口パイプ３３５から流出する。さらに、熱交換用コア部３３３の一部の部位に、偏平チューブ３３６の代わりに、電気発熱体５１を設置している。本例では、熱交換用コア部３３３の３箇所（斜線部）に電気発熱体５１を等間隔で設置している。
【００２９】
そして、熱交換用コア部３３３のうち、電気発熱体５１が設置される部位では、図４に示すように隣接するコルゲートフィン３３７の折り曲げ頂部の間に、偏平チューブ３３６の長手方向に延びる断面Ｕ字状の保持板５２を配置している。この保持板５２のＵ字状曲げ形状からなる閉塞端部５２ａが熱交換用コア部３３３の空気入口側に向き、他端側の開口部５２ｂが熱交換用コア部３３３の空気出口側に向くように、保持板５２の配置方向が設定されている。
【００３０】
また、保持板５２は、その対向する２つの板面５２ｃ、５２ｄ相互の間に所定間隔を設定し、その状態で、この２つの板面５２ｃ、５２ｄをそれぞれコルゲートフィン３３７の折り曲げ頂部に接合するようにしてある。電気発熱体５１は、開口部５２ｂから保持板５２の内部に挿入されて保持される。ここで、電気発熱体５１は保持板５２に対して後述の構造により電気的に絶縁して保持される。
【００３１】
ところで、本例におけるヒータコア３３では、上記各構成部品３３１〜３３９のすべてがアルミニュウム（アルミニュウム合金も含む）にて成形されており、また、断面Ｕ字状の保持板５２も同様にアルミニュウムにて成形されている。
次に、電気発熱体５１の具体的構造を図４により説明すると、電気発熱体５１は、板状の発熱体素子５１ａと、この発熱体素子５１ａの表裏両面に配置された細長の平板状の電極板５１ｂ、５１ｃとからなる３層のサンドウイッチ構造になっている。そして、この電極板５１ｂ、５１ｃの周囲を全周にわたって電気的絶縁材料からなる被覆部材５１ｄにより被覆している。
【００３２】
ここで、発熱体素子５１ａは所定の設定温度（例えば、２００°Ｃ付近）にて抵抗値が急増する正の抵抗温度特性を有する抵抗体材料（例えば、チタン酸バリウム）からなるＰＴＣヒータ素子である。発熱体素子５１ａは図４に示す矩形状に限らず、円形状でもよい。
発熱体素子５１ａの両電極板５１ｂ、５１ｃはアルミニュウム、銅、ステンレス等の導電金属材から成形された金属薄板であり、この両電極板５１ｂ、５１ｃの長手方向の寸法（図３の上下方向の寸法）は保持板５２と略同一である。そして、この両電極板５１ｂ、５１ｃの長手方向において発熱体素子５１ａは複数箇所、配置されている。発熱体素子５１ａと両電極板５１ｂ、５１ｃは互いに圧接することにより、両者間の電気的導通を得るようにしてある。
【００３３】
被覆部材５１ｄが保持板５２の板面１０ｃ、１０ｄの内側面に圧接するようにして、電気発熱体５１は保持板５２の内部に組み付けられる。ここで、被覆部材５１ｄは保持板５２と両電極板５１ｂ、５１ｃとの間の電気的な絶縁作用を果たすものであるが、発熱体素子５１ａの熱を保持板５２に伝導する役割を果たすため、保持板５２と両電極板５１ｂ、５１ｃとの間の被覆部材５１ｄの厚さは２５μ〜１００μ程度の薄膜のフィルム状にして、良好な熱伝導作用を確保している。この被覆部材５１ｄの具体的材質としては、高耐熱性の樹脂（例えば、ポリイミド樹脂等）が好ましい。
【００３４】
上記電極板５１ｂは例えば正極側電極板であり、また、上記電極板５１ｃは例えば負極側電極板であり、それぞれ電気接続用の端子部が熱交換用コア部３３３の下側端部付近に一体成形されている。すなわち、図５は電気発熱体５１の電気接続構造の概要を示すもので、フィルム状被覆部材５１ｄにより被覆されている正極側電極板５１ｂおよび負極側電極板５１ｃの下側端部（図５では右側端部）から温水入口側（下側）タンク３３１の後方側（空気流れ方向Ａの下流側）に向けて正極側端子部５１ｅと負極側端子部５１ｆを一体に突出成形している。
【００３５】
一方、温水入口側（下側）タンク３３１には電気配線用カバー５３が装着されている。この電気配線用カバー５３はポリプロピレンのようなある程度の弾性を有する樹脂（電気絶縁材料）にてタンク３３１の外形に沿った形状に成形され、そして、一体成形の弾性係止爪片（図示せず）を利用して、タンク３３１に脱着可能に装着される。
【００３６】
図２に示すように、電気配線用カバー５３には、正極側のコネクタ５４を持つ正極側リード線５５および負極側のコネクタ５６を持つ負極側リード線５７が保持されている。この正極側リード線５５および負極側リード線５７は電気発熱体５１の設置数（３本）に対応して３本づつ設けられている。
そして、電気配線用カバー５３には温水入口側（下側）タンク３３１の後方側（空気流れ方向Ａの下流側）に３箇所の電気接続部５８、５９、６０を設定している。この３箇所の電気接続部５８、５９、６０では、図５に示すように正極側リード線５５および負極側リード線５７の先端部に電気接続された接続端子片５５ａ、５７ａを保持している。
【００３７】
電気発熱体５１の電気接続は、電気発熱体５１を図５の矢印ＢのようにＵ字状の保持板５２内に挿入するとき、その正極側端子部５１ｅと負極側端子部５１ｆを図５の矢印Ｃのように上記接続端子片５５ａ、５７ａの内側空間に圧入することにより、３箇所の電気接続部５８、５９、６０において、それぞれ電気発熱体５１の電極板５１ｂ、５１ｃとリード線５５、５７とを電気接続できる。
【００３８】
なお、正極側のコネクタ５４および負極側のコネクタ５６には、図示しない外部回路が電気接続され、この外部回路を介して車載電源から各電気発熱体５１に通電されるようになっている。
６１、６２はばね性を持つ金属材料からなる締結（バンド）部材であって、熱交換用コア部３３３の空気出口側の面に配置される。締結部材６１、６２はその両端に折り曲げ形状からなる引掛け部６３、６４を有しており、この引掛け部６３、６４を左右のサイドプレート３３８、３３９に引掛けることにより、締結部材６１、６２は左右のサイドプレート３３８、３３９の間に装着される。
【００３９】
この締結部材の装着により、電気発熱体５１を保持板５２の板面５２ｃ、５２ｄ間に圧接保持させる締付け力を熱交換用コア部３３３に対して作用させることができる。
次に、上記したヒータコア３３の製造方法を説明すると、まず、最初に図２、３に示す熱交換器構成を組み付けるコア組付工程を行う。すなわち、熱交換用コア部３３３のチューブ３３６とコルゲートフィン３３７を交互に積層するとともに、熱交換用コア部３３３のうち、電気発熱体５１が設置される部位（図２、３の３箇所の斜線部）では、隣接するコルゲートフィン３３７の折り曲げ頂部の間に、チューブ３３６の長手方向に延びる断面Ｕ字状の保持板５２を配置する。
【００４０】
ここで、この保持板５２の対向する２つの板面５２ｃ、５２ｄの間隔を所定間隔に保持するために、この保持板５２の内部に、この所定間隔の板厚を持ったダミー板（図示せず）を挿入する。
このダミー板は後述の一体ろう付けの工程に対する耐熱性を有し、かつアルミニュウムろう付けされない特性を持った材質（例えば、カーボン等）で形成しておく。この組付工程で、タンク３３１、３３２、パイプ３３４、３３５、およびサイドプレート３３８、３３９も組み付けることはもちろんである。
【００４１】
次に、上記のごとくして、組み付けた熱交換器組付体の組付状態を図示しない適宜の治具により保持して、ろう付け炉内に搬入し、ろう付け工程を行う。すなわち、ろう付け炉内で熱交換器組付体をろう付け温度（６００°Ｃ程度）に加熱して、熱交換器各部材のアルミニウムクラッド材のろう材を溶融し、熱交換器組付体の各部材間を一体ろう付けする。
【００４２】
ろう付け終了後に、熱交換器組付体をろう付け炉から搬出し、常温まで熱交換器組付体の温度が低下した後に、電気発熱体５１の組付工程を行う。すなわち、電気発熱体５１はそれ単独で、熱交換器組付体とは別に、板状の発熱体素子５１ａの表裏両面を平板状の電極板５１ｂ、５１ｃにより挟み込んで３層のサンドウイッチ構造とし、電極板５１ｂ、５１ｃの周囲を全周にわたって被覆部材９ｄにより被覆しておく。
【００４３】
そして、熱交換器組付体の熱交換用コア部３３３における３箇所の保持板５２の内側に挿入されているダミー板を取り出す。この後に、温水入口側タンク３３１の外周側に、正極側リード線５５、負極側リード線５７を内蔵している電気配線用カバー５３を装着し、保持板５２の対向する２つの板面５２ｃ、５２ｄの内側に形成される所定間隔の空間に、開口部５２ｂから閉塞端部５２ａ側へ向かって電気発熱体５１を挿入する。このとき、同時に、電気発熱体５１の正極側端子部５１ｅと負極側端子部５１ｆが図５の矢印Ｃのようリード線５５、５７側の接続端子片５５ａ、５７ａの内側空間に圧入されるので、３箇所の電気接続部５８、５９、６０において、それぞれ電気発熱体５１の電極板５１ｂ、５１ｃとリード線５５、５７とを電気接続できる。
【００４４】
この電気発熱体５１の組付の後に、締結部材６１、６２の両端の引掛け部６３、６４を左右のサイドプレート３３８、３３９に引掛けて、上下のサイドプレート３３８、３３９の間に締結部材６１、６２を熱交換用コア部３３３が圧縮されるように装着する。
これにより、電気発熱体５１を保持板５２の内側に圧接保持させる締付け力を熱交換用コア部３３３に対して作用させ、電気発熱体５１を保持板５２の内側に確実に圧接状態で保持固定できる。また、同時に、電気発熱体５１の内部において、発熱体素子５１ａの表裏両面が平板状の電極板５１ｂ、５１ｃに確実に圧接するので、小さな接触抵抗で良好な電気導通状態が得られる。
【００４５】
次に、上記構成において作動を説明する。車両用エンジンのウォータポンプ（図示せず）の作動によりエンジンからの温水が入口パイプ３３４より下側の温水入口側タンク３３１内に流入する。そして、温水は、入口側タンク３３１にて多数本の偏平チューブ３３６に分配され、この偏平チューブ３３６の全部を並列に流れて上側の温水出口側タンク３３２に流入し、ここで集合される。上側タンク３３２の温水は、出口パイプ３３５からヒータコア３３の外部へ流出し、エンジン側に還流する。
【００４６】
一方、第１、第２送風ファン１６、１７を作動させることにより、ヒータコア３３のコア部３３３の偏平チューブ３３６とコルゲートフィン３３７との間の空隙部を空気が通過するので、偏平チューブ３３６内の温水の熱をコルゲートフィン３３７を介して空気に放熱して、空気を加熱できる。
暖房時において、エンジンからの温水の温度が設定温度（例えば、８０°Ｃ）より低いときは、外部制御回路からコネクタ５４、５６、リード線５５、５７を介して電気発熱体５１の両電極板５１ｂ、５１ｃ間に車載電源の電圧を加える。これにより、発熱体素子５１ａが通電され発熱する。発熱体素子５１ａの発熱は電極板５１ｂ、５１ｃ、被覆部材５１ｄ、保持板５２を経て、両側のコルゲートフィン３３７に伝導されて、このコルゲートフィン３３７から暖房用空気に放熱される。従って、温水の低温時でも暖房空気を速やかに加熱して即効暖房を行うことができる。
【００４７】
ところで、図１は内外気２層流モードによる最大暖房状態を示しており、主エアミックスドア３６が冷風バイパス通路３５を全閉すると同時に、補助エアミックスドア３７の先端部が蒸発器３２直後の上下方向中央位置近傍に位置することにより、ヒータコア３３の通風路を全開している。このとき、蒸発器３２とヒータコア３３との間の空気通路を補助エアミックスドア３７により第１空気通路２０ａと第２空気通路２１ａとに区画している。
【００４８】
従って、第１送風ファン１６により第１空気通路２０、２０ａを矢印Ｅのごとく送風される内気をヒータコア３３のコア部３３３の下側部で加熱し、この内気温風をフット開口部４４、５０を通して乗員足元部に吹き出すことができる。また、第２送風ファン１７により第２空気通路２１．２１ａを矢印Ｄのごとく送風される外気をヒータコア３３のコア部３３３の上側部で加熱し、この外気温風をデフロスタ開口部４２を通して窓ガラス内側部に吹き出して、窓ガラスの曇り止めを行うことができる。
【００４９】
ここで、電気発熱体５１は扁平チューブ３３６と同様に上下方向に延びて第１空気通路２０ａと第２空気通路２１ａの両方にわたって配置してあるので、内外気２層流モードの際に内気と外気を両方とも電気発熱体５１で加熱することができる。従って、電気発熱体５１の通電時（発熱時）においても、適正な上下吹き出し温度差を維持できる。
【００５０】
また、車両用空調用装置においては、ヒータコア３３の空気流れの上流側に冷房用蒸発器３２が配置されているので、冷房用蒸発器３２で発生した凝縮水が空気流れによりヒータコア３３に吹き付けられることがある。また、外気導入口１３からの水入り、雪入り等により、ヒータコア３３が被水することもある。
このような現象が発生しても、本実施形態では、電気発熱体５１の電気接続部５８〜６０をヒータコア３３の下側タンク３３１の後面側（空気下流側）に配置しているので、電気発熱体５１の電気接続部５８〜６０への被水を下側タンク３３１により効果的に防止できる。
【００５１】
また、ヒータコア３３のコア部３３３の通風路において上側タンク３３２近傍は図１の矢印Ｄの空気流に近接しているので、上側タンク３３２側にもし電気発熱体５１の電気接続部５８〜６０を配置すると、電気接続部５８〜６０のコア部通風路への突出により通風抵抗の増大が発生しやすい。
しかし、本実施形態では、電気発熱体５１の電気接続部５８〜６０をヒータコア３３の下側タンク３３１の後面側（空気下流側）に配置している。この下側タンク３３１近傍は図１の矢印Ｅの空気流の主流部から離れているので、下側タンク３３１近傍からコア部３３３側への突出形状は通風抵抗増大への影響が少ない。そのため、電気接続部５８〜６０がコア部通風路へ多少突出しても通風抵抗の増大を抑制できる。
【００５２】
（第２実施形態）
図６は第２実施形態であり、第１実施形態とは２つの相違点がある。第１は電気配線用カバー５３および電気接続部５８〜６０の配置形態である。すなわち、ヒータコア３３は車両後方側に所定角度で傾斜配置されているから、ヒータコア３３の下側タンク３３１の下端面と、電気配線用カバー５３の下端面とを同一面で構成すると、ヒータコア３３の車両後方側への傾斜配置に伴って電気配線用カバー５３の下端面が下側タンク３３１の下端面より下方側に突出して、空調装置下側に配置される周辺機器と電気配線用カバー５３の下端面の突出部との干渉が発生して、空調装置の車両への搭載性を悪化させる場合がある。
【００５３】
そこで、第２実施形態では、図６に示すように電気配線用カバー５３の下端面が下側タンク３３１の下端面より所定量ｈだけ段差をつけて上方側に位置するようにしてある。これにより、ヒータコア３３を車両後方側に傾斜配置しても、電気配線用カバー５３（電気接続部５８〜６０）による下方への突出形状が発生せず、空調装置の車両への搭載性を改善できる。
【００５４】
第２は後席用フット開口部５０の通路内に板状の絞りドア６５を回動可能に配置した点である。これにより、前席用フット開口部４４へ向かう矢印Ｅ１の温風と後席用フット開口部５０の通路を流れる矢印Ｅ２の温風との風量割合を、絞りドア６５の開度により調整することができる。従って、絞りドア６５の開度調整により、前席と後席側の暖房能力を調整できる。
【００５５】
（他の実施形態）
なお、ヒータコア（暖房用熱交換器）３３として、熱交換用コア部３３３の下側のみにタンク（温水入口タンク、温水出口タンク）３３１を配置してチューブ３３６を熱交換用コア部３３３の上側でＵターンさせる構成とすることもできる。
【図面の簡単な説明】
【図１】本発明の第１実施形態を示す車両用空調装置の通風系全体の概略断面図である。
【図２】図１のヒータコアの斜視図である。
【図３】図１のヒータコアの正面図である。
【図４】図２、３のヒータコアにおける電気発熱体設置部の破断拡大斜視図である。
【図５】図２、３のヒータコアにおける電気発熱体の電気接続部の分解説明図である。
【図６】第２実施形態を示す車両用空調装置の通風系要部の概略断面図である。
【符号の説明】
２０、２０ａ…第１空気通路、２１、２１ａ…第２空気通路、
３１…空調ケース、３３…ヒータコア（暖房用熱交換器）、
３３１、３３２…タンク、３３３…熱交換用コア部、３３６…偏平チューブ、
３３７…コルゲートフィン、５１…電気発熱体、５８〜６０…電気接続部。
【図１】
0004092805.tif 000002
【図２】
0004092805.tif 000003
【図３】
0004092805.tif 000004
【図４】
0004092805.tif 000005
【図５】
0004092805.tif 000006
【図６】
0004092805.tif 000007